(57)【特許請求の範囲】
【請求項１】
凹部を有するケースと、前記凹部において露出する固定接点を有し前記ケースに固定された固定端子と、前記凹部の開口を塞ぐように前記ケースに結合され前記ケースとの間で内部に空洞を形成するカバーと、前記空洞に収納され前記ケースに対して回転することで前記固定接点に接触する位置と前記固定接点から離れる位置との間を移動する導電性の可動接触片と、前記カバーと前記ケースとを結合させるように前記カバーと前記ケースとを覆うハウジングと、を備え、
前記カバーは、前記可動接触片が回転する回転軸に沿った断面視において、前記ケースに向かうにつれ広がり前記ハウジングと接触するテーパ状の第１側面を有しており、
前記ハウジングは、前記回転軸に沿った断面視において、前記カバーから前記ケースに向かう方向に沿って外方へ広がるテーパ状の第２側面を有しており、
前記ハウジングは、前記回転軸に対する前記第２側面の角度を前記第１側面の角度よりも大きくすることで応力を緩和する応力緩和部を有していることを特徴とするスイッチ装置。
【請求項２】
前記ハウジングは、前記第２側面に凹凸が形成されていることを特徴とする請求項１に記載のスイッチ装置。
【請求項３】
前記ハウジングは、前記回転軸に沿った断面視において、前記第２側面が前記カバーと前記ケースとが結合される結合面よりも前記回転軸の軸方向における前記カバーと反対側から形成されていることを特徴とする請求項１または２に記載のスイッチ装置。
【請求項４】
前記ハウジングは、有機溶剤に対し、前記ハウジングよりも溶解度の低いコーティング材で被覆されていることを特徴とする請求項１ないし請求項３のいずれか１項に記載のスイッチ装置。
【請求項５】
請求項１ないし請求項４のいずれか１項に記載のスイッチ装置と、該スイッチ装置が搭載される本体と、を備えたことを特徴とする移動体。
【発明の詳細な説明】
【技術分野】
【０００１】
本発明は、スイッチ装置およびそれを備えた移動体に関する。
【背景技術】
【０００２】
従来、自動車などの移動体では、たとえば、スイッチ装置からの信号に基づいてドアの開閉位置などを検出し、ドアが半閉状態の場合、作動機構がドアを全閉状態にさせるように構成されている。
【０００３】
この種のスイッチ装置としては、ケースと、固定端子と、可動板と、カバーと、ハウジングと、を備えた回転スイッチが知られている（たとえば、特許文献１を参照）。
【０００４】
ケースには、凹部が形成されている。固定端子は、凹部に収納された固定接点を有している。可動板は、固定接点に接離し回転可能に構成されている。カバーは、ケースを覆うように構成されている。ハウジングは、ケースを収納するように一体成形されている。
【先行技術文献】
【特許文献】
【０００５】
【特許文献１】特開２０１１−２１０４５２号公報
【発明の概要】
【発明が解決しようとする課題】
【０００６】
ところで、スイッチ装置は、使用環境などがより厳しい条件でも、より信頼性の高い構造とすることが求められており、上述のスイッチ装置の構造だけでは十分ではなく、更なる改良が求められている。
【０００７】
本発明の目的は、より信頼性の高いスイッチ装置およびそれを備えた移動体を提供することにある。
【課題を解決するための手段】
【０００８】
本発明のスイッチ装置は、ケースと、固定端子と、カバーと、可動接触片と、ハウジングと、を備えている。上記ケースは、凹部を有している。上記固定端子は、上記ケースに固定されている。上記固定端子は、上記凹部において露出する固定接点を有している。上記カバーは、上記凹部の開口を塞ぐように、上記ケースに結合されている。上記カバーは、上記ケースとの間で内部に空洞を形成するように構成されている。上記可動接触片は、導電性を有している。上記可動接触片は、上記空洞に収納される。上記可動接触片は、上記ケースに対して回転することができるように構成されている。上記可動接触片は、上記固定接点に接触する位置と、上記固定接点から離れる位置との間を移動する。上記ハウジングは、上記カバーと上記ケースとを結合させるように、上記カバーと上記ケースとを覆っている。上記カバーは、上記可動接触片が回転する回転軸に沿った断面視において、上記ケースに向かうにつれ広がり、上記ハウジングと接触するテーパ状の第１側面を有している。上記ハウジングは、上記回転軸に沿った断面視において、上記カバーから上記ケースに向かう方向に沿って外方へ広がるテーパ状の第２側面を有している。上記ハウジングは、上記回転軸に沿った断面視において、上記回転軸に対する上記第２側面の角度を上記第１側面の角度と異ならせることで応力を緩和する応力緩和部を有していることを特徴とする。
【０００９】
本発明の移動体は、上述のスイッチ装置と、当該スイッチ装置が搭載される本体と、を備えたことを特徴とする。
【発明の効果】
【００１０】
本発明のスイッチ装置は、より信頼性の高い構造とすることができる。
【００１１】
本発明の移動体は、より信頼性の高いスイッチ装置を備えた構成とすることができる。
【図面の簡単な説明】
【００１２】
【図１】実施形態１のスイッチ装置の要部を説明する断面図である。
【図２】実施形態１のスイッチ装置を示す分解斜視図である。
【図３】実施形態１のスイッチ装置を示す正面側の斜視図である。
【図４】実施形態１のスイッチ装置を示す背面側の斜視図である。
【図５】実施形態２の移動体を説明する説明図である。
【発明を実施するための形態】
【００１３】
（実施形態１）
以下では、本実施形態のスイッチ装置１０を、図１ないし図４に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１４】
本実施形態のスイッチ装置１０は、図１ないし図４に示すように、ケース１と、固定端子３と、カバー２と、可動接触片４と、ハウジング５と、を備えている。ケース１は、凹部１ａを有している。固定端子３は、ケース１に固定されている。固定端子３は、凹部１ａにおいて露出する固定接点３ａを有している。カバー２は、凹部１ａの開口１ｂａを塞ぐように、ケース１に結合されている。カバー２は、ケース１との間で内部に空洞１０ａａを形成するように構成されている。可動接触片４は、導電性を有している。可動接触片４は、空洞１０ａａに収納される。可動接触片４は、ケース１に対して回転することができるように構成されている。可動接触片４は、固定接点３ａに接触する位置と、固定接点３ａから離れる位置との間を、移動する。ハウジング５は、カバー２とケース１とを結合させるように、カバー２とケース１とを覆っている。
【００１５】
カバー２は、図１に示すように、可動接触片４が回転する回転軸１０ｂｂに沿った断面視において、ケース１に向かうにつれ広がり、ハウジング５と接触するテーパ状の第１側面１ａａを有している。ハウジング５は、回転軸１０ｂｂに沿った断面視において、カバー２からケース１に向かう方向に沿って外方へ広がるテーパ状の第２側面５ａａを有している。ハウジング５は、回転軸１０ｂｂに沿った断面視において、回転軸１０ｂｂに対する第２側面５ａａの角度βを第１側面１ａａの角度αと異ならせることで応力を緩和する応力緩和部５ｃｃを有している。
【００１６】
本実施形態のスイッチ装置１０は、ハウジング５が応力緩和部５ｃｃを有していることで、より信頼性の高い構造とすることができる。
【００１７】
以下では、本実施形態のスイッチ装置１０のより具体的な構成について説明する。
【００１８】
スイッチ装置１０は、ケース１とカバー２と固定端子３と可動接触片４とハウジング５とに加え、図２に示すように、回転体６と、可撓性リング７と、レバー８と、ハーネス９と、を備えている。
【００１９】
ケース１は、ケース本体部１ｂと、導出部１ｃと、取付部１ｄと、を備えている。ケース本体部１ｂは、有底円筒状の外形形状をしている。導出部１ｃは、ケース本体部１ｂの外周から突出するように設けられている。導出部１ｃは、直方体状の外形形状をしている。導出部１ｃは、ケース１の内部から外部へ固定端子３を導出させることができるように構成されている。取付部１ｄは、平面視において、導出部１ｃと直交する方向に、ケース本体部１ｂの外周から突出するように設けられている。取付部１ｄは、ケース１を他の部材に取り付けることができるように構成されている。
【００２０】
ケース本体部１ｂは、底部１ｈと、筒状の壁部１ｆと、を有している。壁部１ｆは、底部１ｈの周部に沿って、底部１ｈの厚み方向に突出するように設けられている。ケース本体部１ｂは、底部１ｈと壁部１ｆとで囲まれる領域が、ケース１の凹部１ａを構成している。ケース本体部１ｂは、凹部１ａの内底面１ａｓにおける中央部から底部１ｈの厚み方向に沿って、凹部１ａの外方へ向かって突出する支持軸１ｅを備えている。ケース本体部１ｂは、凹部１ａの内底面１ａｓに固定接点３ａが露出されている。導出部１ｃには、ケース１の外部からケース１の凹部１ａまで貫通する図１に示す導出孔１ｃｃが形成されている。導出部１ｃは、導出孔１ｃｃを介して、固定端子３をケース１の凹部１ａからケース１の外部まで導出できるように構成されている。取付部１ｄは、厚み方向に貫通する第１挿通孔１ｄａが形成されている。ケース１は、取付ねじを、取付部１ｄの第１挿通孔１ｄａに挿通させて、他の部材に取り付けられることができる。
【００２１】
ケース１は、カバー２との間の空洞１０ａａに、可動接触片４と回転体６とを収納する。ケース１とカバー２とは、たとえば、レーザ溶着による融着や接着剤により結合させることができる。ケース１は、電気絶縁性を備えた材料により形成することができる。ケース１は、ケース本体部１ｂと導出部１ｃと取付部１ｄとが一体的に形成されている。ケース１は、樹脂材料の成形品により形成することができる。ケース１は、たとえば、熱可塑性樹脂により形成することができる。ケース１は、樹脂材料の射出成形により形成することで、複雑な形状を比較的簡単に形成することができる。ケース１は、インサート成形により、固定端子３と一体的に形成させることができる。ケース１は、たとえば、ＰＢＴ(polybutylene terephthalate)樹脂などのポリエステル樹脂を用いて形成することができる。ケース１は、ガラス繊維を含んだ構成とすることができる。ケース１の材料としては、ＰＢＴ樹脂だけに限られず、たとえば、フェノール樹脂、ＡＢＳ（acrylonitrile butadiene styrene）樹脂やＰＰ（polypropylene）樹脂などを用いてもよい。
【００２２】
スイッチ装置１０は、レーザ溶着によりケース１とカバー２とを融着させる場合、カバー２を透過するレーザ光をケース１で吸収させる。ケース１は、レーザ光を吸収して効率よく熱に変換することが可能な添加物を含有することが好ましい。スイッチ装置１０では、たとえば、近赤外線のレーザ光によりケース１とカバー２とをレーザ溶着させる場合、添加物は、近赤外線の吸収率が高いものを用いればよい。ケース１は、ケース１の樹脂材料中に近赤外線の吸収率が高い黒色染料やカーボンなどの添加物を適宜に含有すればよい。ケース１は、樹脂材料中にカーボンなどの添加物が含有されることで、黒色に着色されている。
【００２３】
カバー２は、円錐台状の外形形状をしている。カバー２は、ケース１と融着されて箱体を構成する。カバー２は、図１および図２に示すように、第１平板部２ａと、筒状部２ｂと、第２平板部２ｃと、環部２ｄと、突出部２ｇと、を備えている。第１平板部２ａは、円環状の外形形状をしている。筒状部２ｂは、第１平板部２ａにおける円環の内縁から第１平板部２ａの厚み方向に沿って立ち上がるように設けられている。第２平板部２ｃは、筒状部２ｂにおける第１平板部２ａと反対側に設けられている。第２平板部２ｃは、中央部において、厚み方向に貫通した第１貫通孔２ａａを有している。第２平板部２ｃは、第１平板部２ａよりも小さい円環状の外形形状をしている。環部２ｄは、第２平板部２ｃの中央部に設けられた第１貫通孔２ａａの周りに沿って、第２平板部２ｃにおける第１平板部２ａと反対側に突出している。突出部２ｇは、図１に示すように、第１平板部２ａの厚み方向に沿って、第１平板部２ａにおける筒状部２ｂと反対側に突出している。突出部２ｇは、カバー２の背面視において、円環状に形成されている。突出部２ｇは、必ずしも円環状に形成されている必要もなく、第１平板部２ａの外周に沿って設けられた複数の円弧状でもよい。
【００２４】
カバー２は、筒状部２ｂの外側面が第１側面１ａａとなる。カバー２は、第１側面１ａａを有する限り、円錐台状だけに限られず、角錐台状など種々の形状に形成することができる。カバー２は、ケース１の凹部１ａにおける開口１ｂａを塞ぎ、第１平板部２ａとケース１の壁部１ｆとを結合することができるように構成されている。カバー２は、突出部２ｇを壁部１ｆに当接させて、凹部１ａに突出部２ｇを収容できるように構成されている。スイッチ装置１０は、カバー２をケース１に被せた状態で、第１平板部２ａとケース１の壁部１ｆとが接触するように構成されている。スイッチ装置１０は、ケース１に対するカバー２の位置合わせに、突出部２ｇと壁部１ｆとを利用している。
【００２５】
カバー２は、電気絶縁性を備えた材料により形成することができる。カバー２は、第１平板部２ａと、筒状部２ｂと、第２平板部２ｃと、環部２ｄとが一体的に形成されている。カバー２は、レーザ光により、ケース１と融着を行う場合、ケース１と比較してレーザ光の透光性が高い材料を用いることが好ましい。カバー２は、白色の樹脂材料を用いて形成することができる。スイッチ装置１０は、レーザ光に対するカバー２の透光性が高く、かつレーザ光に対するケース１の吸収性が高いほど、所定の領域で融着を行いやすくすることができる。カバー２は、樹脂材料の射出成形により形成することで、比較的簡単に形成することができる。カバー２の材料としては、たとえば、ＰＢＴ樹脂を用いて形成することができる。カバー２は、ガラス繊維を含んだＰＢＴ樹脂により構成することができる。カバー２の材料は、ＰＢＴ樹脂だけに限られず、ＰＯＭ(polyoxymethylene)樹脂、ＰＰ樹脂やＡＢＳ樹脂などを用いてもよい。
【００２６】
固定端子３は、ケース１の凹部１ａにおいて露出する固定接点３ａと、固定接点３ａと電気的に接続され導出孔１ｃｃに挿通されてケース１の外部に露出する端子部３ｂと、を備えている。本実施形態のスイッチ装置１０は、３つの固定端子３を備えている。３つの固定端子３は、ケース１の凹部１ａにおいて、互いに離れた状態で配置されている。固定端子３は、凹部１ａの内底面１ａｓにおいて、固定接点３ａが露出している。言い換えれば、本実施形態のスイッチ装置１０は、固定接点３ａとして、第１固定接点３ａ１と第２固定接点３ａ２と第３固定接点３ａ３とを備えている。第１固定接点３ａ１と第２固定接点３ａ２と第３固定接点３ａ３とは、所定の間隔を隔てて並んで設けられている。スイッチ装置１０は、固定端子３を３つ備えた構成だけでなく、固定端子３が１つ以上あればよい。固定接点３ａは、平面視において、支持軸１ｅの軸周りに沿って、扇状の外形形状に露出している。固定接点３ａは、適宜の形状に形成すればよい。固定端子３は、導電性の高い材料を用いることが好ましい。固定端子３は、たとえば、真鍮を用いることができる。固定端子３の材料は、真鍮だけに限られず、リン青銅、銀メッキを施した銅などの導体を用いてもよい。固定端子３は、金属平板の打ち抜き加工によって形成することができる。
【００２７】
可動接触片４は、固定接点３ａに接触して電気的な接続が可能な位置と、固定接点３ａから離れて電気的に絶縁された位置との間で移動できるように構成されている。可動接触片４は、固定接点３ａと対向して配置される。可動接触片４は、回転体６に固定される。可動接触片４は、回転体６の回転に伴って、凹部１ａの内底面１ａｓと平行な平面に沿って、支持軸１ｅの軸周りに回転自在となるように構成されている。可動接触片４は、図２に示すように、枠状の接触基板４ａと、接触基板４ａの側縁に沿って円弧状に延設される３つの延設部４ｂと、を備えている。延設部４ｂは、接触基板４ａの中心を回転中心とする仮想円の外周に沿って所定間隔で設けられている。延設部４ｂには、周方向に沿ったスリット４ｃａが形成されている。延設部４ｂは、スリット４ｃａにより分離された一対の接触片４ｃを備えている。接触片４ｃは、先端に向かうにしたがって、凹部１ａの内底面１ａｓ側へ向かって傾斜するように構成されている。接触片４ｃの先端は、固定接点３ａと接触可能な可動接点４ｃｂを構成している。可動接触片４は、固定接点３ａに向かって力が働くように弾性を有している。スイッチ装置１０は、可動接触片４の可動接点４ｃｂと、ケース１側の固定接点３ａと、を対向して配置させることができるように構成される。
【００２８】
スイッチ装置１０は、回転体６に固定された可動接触片４が回転体６と一緒に回転し、可動接触片４の可動接点４ｃｂが凹部１ａの内底面１ａｓに沿って擦りながら動く。スイッチ装置１０は、可動接触片４の回転方向において、固定接点３ａと可動接点４ｃｂとが接触する位置で、固定端子３と可動接触片４とが電気的に接続され導通状態となる。スイッチ装置１０は、可動接触片４の回転方向において、固定接点３ａと可動接点４ｃｂとが離れた位置で、固定端子３と可動接触片４とが電気的に絶縁状態となる。スイッチ装置１０は、可動接触片４を介して、２つの固定端子３の間が導通するように構成されている。可動接触片４は、複数の可動接点４ｃｂそれぞれが同時に複数の固定接点３ａと接触する構成とされてもよいし、１つの可動接点４ｃｂが１つの固定接点３ａとだけ接触する構成とされてもよい。スイッチ装置１０は、可動接触片４の回転に応じて、固定端子３と可動接触片４とを導通状態または絶縁状態にすることができる。スイッチ装置１０は、可動接触片４が所定の回転位置で、可動接触片４を介して、たとえば、３つの固定端子３のうち、２つの固定端子３同士を電気的に導通状態にすることができる。可動接触片４は、たとえば、リン青銅を用いて形成することができる。可動接触片４の材料は、リン青銅だけに限られず、真鍮、や銅に銀メッキを施した導体などを用いることができる。可動接触片４は、金属平板の打ち抜き加工と折り曲げ加工によって形成することができる。
【００２９】
ハウジング５は、基体部５ａと、コネクタ部５ｂと、側縁部５ｃと、を備えている。基体部５ａは、ケース１およびカバー２を収容できるように、内部に空間５ａｂが形成されている。基体部５ａは、回転軸１０ｂｂに沿った第４挿通孔５ｂａを、中央部に有している。コネクタ部５ｂは、基体部５ａの側面から延びるように設けられている。コネクタ部５ｂは、ハウジング５の内部の空間５ａｂからハウジング５の外部まで連なるように形成された第５挿通孔５ｂｂを有している。コネクタ部５ｂは、端子部３ｂと接続された電線９ａを第５挿通孔５ｂｂから導出することができるように形成されている。側縁部５ｃは、平面視において、コネクタ部５ｂと直交する方向に、基体部５ａの外周から突出するように設けられている。側縁部５ｃは、ハウジング５の内部の空間５ａｂからハウジング５の外側まで連なるように形成された第６挿通孔５ｂｃを有している。側縁部５ｃは、第６挿通孔５ｂｃから取付部１ｄが突出するように形成されている。
【００３０】
ハウジング５は、ケース１およびカバー２を覆うように、一体成形により形成される。ハウジング５は、熱可塑性樹脂を用いることができる。ハウジング５は、たとえば、ＰＢＴ樹脂などのポリエステル樹脂やＰＡ(polyamide)樹脂などのホットメルト樹脂を用いることができる。ハウジング５は、射出成形により形成される場合、予めケース１とカバー２との間に可動接触片４、回転体６を収容して、ケース１とカバー２とが結合された状態の構成を金型に入れて樹脂成形により形成することができる。ハウジング５は、ポリエステル樹脂を用いることが好ましい。ハウジング５は、ポリエステル樹脂を用いることで、ケース１やカバー２との結合力を比較的高くすることができる。
【００３１】
回転体６は、可動接触片４を回転させることができるように構成されている。回転体６は、ケース１の凹部１ａの内底面１ａｓから突出する支持軸１ｅの軸周りに回転可能な構成としている。回転体６は、図１および図２に示すように、連結部６ａと、支持部６ｂと、環状部６ｇと、ボス部６ｈと、を備えている。連結部６ａは、円柱状の外形形状をしている。支持部６ｂは、連結部６ａの一端側に設けられている。支持部６ｂは、円板状の外形形状をしている。連結部６ａの外径は、支持部６ｂの外径よりも小さくしている。連結部６ａは、図１に示すように、支持軸１ｅと嵌め合うことが可能な孔部６ｄａを有している。連結部６ａは、支持軸１ｅが孔部６ｄａに挿入され、支持軸１ｅを支持する軸受を構成している。
【００３２】
連結部６ａは、カバー２の第１貫通孔２ａａに一部が挿通された状態で、第１貫通孔２ａａに沿って回転可能に構成されている。支持部６ｂは、正面視において、第１貫通孔２ａａよりも大きく形成されている。支持部６ｂは、カバー２の第１貫通孔２ａａに連結部６ａの一部が挿通された状態で、カバー２により覆われる。環状部６ｇは、支持部６ｂの厚み方向に沿って、連結部６ａの周りに円環状に支持部６ｂから突出している。ボス部６ｈは、孔部６ｄａの周りに沿って、支持部６ｂにおける連結部６ａと反対側に突出している。ボス部６ｈは、可動接触片４の接触基板４ａに設けた第２貫通孔４ａａと嵌め合すことができるように構成されている。
【００３３】
支持部６ｂは、厚み方向に沿って、突出する突出ピンを連結部６ａと反対側に設けている。回転体６は、支持部６ｂの外周に沿って、所定の間隔で突出ピンを３つ備えている。支持部６ｂは、可動接触片４の接触基板４ａに形成された第３挿通孔４ｂａに突出ピンが挿通されている。突出ピンは、第３挿通孔４ｂａの内径よりも若干小さくしている。回転体６は、突出ピンが第３挿通孔４ｂａに挿通された状態で、突出ピンの先端が溶融される。回転体６は、突出ピンの先端が溶融されて潰されることにより、可動接触片４を一体的に固定している。言い換えれば、回転体６は、支持部６ｂと対向するように、可動接触片４が配置され固定されている。
【００３４】
回転体６は、電気絶縁性を備えていることが好ましい。回転体６は、たとえば、ＰＯＭ樹脂を用いて形成することができる。回転体６の材料は、ＰＯＭ樹脂だけに限られず、ＰＰ樹脂などの樹脂材料を用いてもよい。回転体６は、樹脂材料の射出成形により形成することで、複雑な形状を比較的簡単に形成することができる。回転体６は、レバー８と結合されるように構成されている。スイッチ装置１０は、カバー２から突出する連結部６ａがレバー８の回転に伴って回転力が掛かると、回転力に応じて回転体６が回転動作する。
【００３５】
可撓性リング７は、円環状の外形形状をしている。可撓性リング７は、回転体６の連結部６ａに挿通される。可撓性リング７は、図１に示すように、カバー２と回転体６とに接触するように設けられている。可撓性リング７は、第１貫通孔２ａａを塞いで、カバー２と、回転体６の連結部６ａとの間の隙間を埋めることができるように設けられる。可撓性リング７は、たとえば、Ｏリングを用いることができる。
【００３６】
可撓性リング７は、ケース１とカバー２とで形成される空洞１０ａａへの水分の浸入、塵やごみなどの侵入を防止できるように構成されている。可撓性リング７は、シール材として機能を果たすことができる。可撓性リング７は、たとえば、径方向断面がＯ字形状のＯリングだけに限られず、径方向断面がＸ字形状のＸリングを用いてもよい。可撓性リング７は、たとえば、ニトリルゴムを用いることができる。可撓性リング７の材料として、ニトリルゴムだけに限られず、フッ素ゴム、アクリルゴム、シリコーンゴム、エチレンプロピレンゴム、クロロプレンゴムなどを用いてもよい。
【００３７】
レバー８は、ケース１に対し、回転体６を回転させることができるように構成されている。レバー８は、円筒状の接続部８ａと、接続部８ａの一端側の外周部から外側方向へ延出する延出部８ｂと、を備えている。レバー８は、接続部８ａの内径部８ａａに回転体６の連結部６ａが嵌め込まれることで回転体６に連結される。延出部８ｂは、先端側に挿通孔８ｃが設けられている。レバー８は、たとえば、挿通孔８ｃに挿通するねじにより、検知対象物のねじ孔にねじ止めすることで、検知対象物とレバー８とを接続させることができる。
【００３８】
本実施形態のスイッチ装置１０は、検知対象物の回転に伴ってレバー８が回転し、レバー８に連結された回転体６も連動して回転する。回転体６に支持されている可動接触片４が回転し、可動接触片４の接触片４ｃが凹部１ａの内底面１ａｓを擦りながら動く。スイッチ装置１０では、接触片４ｃの可動接点４ｃｂが、固定接点３ａに接触することで、可動接触片４を介して２つの固定接点３ａが電気的に導通する。
【００３９】
ハーネス９は、固定端子３と電気的に接続される電線９ａを備えている。電線９ａは、たとえば、半田付けなどによって、ケース１の導出部１ｃから導出する端子部３ｂに固定される。電線９ａは、端子部３ｂとの接続部分がハウジング５で覆われている。
【００４０】
以下では、本実施形態のスイッチ装置１０について、比較例のスイッチ装置と対比して説明する。比較例のスイッチ装置は、回転軸に沿った断面視において、ハウジングにおける第２側面の角度と、カバーにおける第１側面の角度とを同じにして、応力緩和部を備えていない以外は本実施形態のスイッチ装置１０と基本的に同じ構造としている。
【００４１】
比較例のスイッチ装置は、カバーとケースとの間の空洞に収納する可動接触片、回転体、可撓性リングが外部に出ないように、カバーとケースとが結合されている。スイッチ装置は、カバーとケースとが結合させるように、カバーとケースとを覆うようにハウジングが成形されている。
【００４２】
ところで、スイッチ装置は、温度変化が大きい使用環境の厳しい条件の場合、ハウジングなどの熱膨張や熱収縮により、ハウジングに応力が生ずる場合がある。また、スイッチ装置は、ケースを他の部材に取り付けるにあたって、ハウジングに外力が加わって、ハウジングに応力がかかる場合もある。さらに、スイッチ装置では、レバーの回転に伴って、ケースとカバーとの結合が離れる方向にハウジングに応力がかかる場合もある。
【００４３】
比較例のスイッチ装置では、応力緩和部を備えていないため、ハウジングに生ずる応力が大きければ、カバーとハウジングとの間の結合力が小さくなる傾向にある。比較例のスイッチ装置は、応力緩和部を備えていないため、ハウジングに生ずる応力が大きければ、ケースとハウジングとの間の結合力が小さくなる傾向にある。比較例のスイッチ装置は、応力緩和部を備えていないため、ハウジングに生ずる応力が大きければ、ケースとカバーとの間の結合力が小さくなる傾向にある。比較例のスイッチ装置では、カバーとハウジングとの間の結合力が小さくなると、ハウジングがカバーから剥離するおそれがある。比較例のスイッチ装置では、ケースとハウジングとの間の結合力が小さくなると、ハウジングがケースから剥離するおそれがある。比較例のスイッチ装置では、カバーとハウジングとの間、ケースとハウジングとの間を介して、ケースとカバーとの間から内部の空洞に水分の浸入、塵やごみの侵入が生ずるおそれがある。
【００４４】
これに対し本実施形態のスイッチ装置１０は、応力緩和部５ｃｃを備えたハウジング５により、ケース１とカバー２とハウジング５との剥離を抑制させることが可能となる。
【００４５】
スイッチ装置１０は、ハウジング５が応力緩和部５ｃｃを有していることで、ハウジング５に応力が生じても、ハウジング５とカバー２などとの剥離を抑制し、より信頼性を向上させることが可能となる。
【００４６】
スイッチ装置１０では、ケース１とカバー２とをハウジング５で覆う場合、ハウジング５の形状に起因して応力が増減する傾向にある。スイッチ装置１０では、回転軸１０ｂｂに沿った断面視において、ハウジング５の外周方向に沿ったハウジング５の厚みに応じて、応力の大きさが変化する傾向にある。
【００４７】
言い換えれば、本実施形態のスイッチ装置１０は、回転軸１０ｂｂに沿った断面視において、第２側面５ａａの角度βを第１側面１ａａの角度αと異ならせて、ハウジング５に薄肉部を形成することにより、応力を緩和させることができる。
【００４８】
本実施形態のスイッチ装置１０では、ハウジング５は、第２側面５ａａの角度βが第１側面１ａａの角度αよりも大きくしていることが、より好ましい。
【００４９】
スイッチ装置１０は、たとえば、ハウジング５の材料にポリエステル樹脂を用いる場合、ケース１やカバー２と、ハウジング５との結合力を比較的高くすることができ、より信頼性を高める。ハウジング５の材料にポリエステル樹脂を用いたスイッチ装置１０では、ケース１やカバー２と、ハウジング５との結合力を比較的高くすることができるものの、ハウジング５を形成する金型からの抜けが悪くなる傾向にある。本実施形態のスイッチ装置１０は、第２側面５ａａを第１側面１ａａよりも角度が大きくさせることで、金型の抜け性を向上させることも可能となる。ここで、第１側面１ａａの角度αとは、回転軸１０ｂｂに沿った断面視において、回転軸１０ｂｂに対する角度である。第１側面１ａａは、回転軸１０ｂｂに沿った断面視において、必ずしも平滑面が形成される場合だけでなく、曲面であってもよい。第１側面１ａａの角度αは、たとえば、第１側面１ａａが曲面で構成される場合、多面体に近似させた上で多面体における最も大きい主面を利用して規定することができる。同様に、第２側面５ａａの角度βとは、回転軸１０ｂｂに沿った断面視において、回転軸１０ｂｂに対する角度である。第２側面５ａａは、回転軸１０ｂｂに沿った断面視において、必ずしも平滑面が形成される場合だけでなく、曲面であってもよい。第２側面５ａａの角度βは、たとえば、第２側面５ａａが曲面で構成される場合、多面体に近似させた上で多面体における最も大きい主面を利用して規定することができる。
【００５０】
スイッチ装置１０では、ハウジング５は、回転軸１０ｂｂに沿った断面視において、第２側面５ａａが第１側面１ａａよりも大きいことが好ましい。
【００５１】
本実施形態のスイッチ装置１０は、回転軸１０ｂｂに沿った断面視において、第２側面５ａａが第１側面１ａａよりも大きいことで、さらなる応力緩和を行うことができる。
【００５２】
スイッチ装置１０では、ハウジング５は、第２側面５ａａに凹凸が形成されていることが、さらに好ましい。
【００５３】
本実施形態のスイッチ装置１０は、第２側面５ａａに凹凸が形成されていることで、ハウジング５における応力緩和を、より行うことが可能となる。スイッチ装置１０は、たとえば、ハウジング５を射出成型により形成する場合、射出成型の金型の表面に凹凸を設けることで、第２側面５ａａに凹凸を形成することができる。スイッチ装置１０は、ハウジング５を射出成型により形成する場合、射出成型の金型に適宜のフッ素樹脂を付けることで、第２側面５ａａに凹凸を形成することもできる。
【００５４】
スイッチ装置１０では、ハウジング５は、回転軸１０ｂｂに沿った断面視において、第２側面５ａａがカバー２とケース１とが結合される結合面１ｂｂよりも回転軸１０ｂｂの軸方向におけるカバー２と反対側から形成されている。
【００５５】
本実施形態のスイッチ装置１０では、ハウジング５が、カバー２とケース１とが結合される結合面よりもケース１側から第２側面５ａａが形成されていることで、より応力緩和による剥離の抑制を容易にすることが可能となる。
【００５６】
以下では、スイッチ装置１０の組立工程について簡単に説明する。
【００５７】
スイッチ装置１０の組立工程では、予め固定接点３ａが凹部１ａで露出するように、固定端子３が一体的に成形されたケース１を準備する。組立工程では、可動接触片４が固定された回転体６の孔部６ｄａに、ケース１の底部１ｈから突出する支持軸１ｅを挿入させる。組立工程では、Ｏリングを用いた可撓性リング７を、回転体６の環状の環状部６ｇとの位置が合うように配置する。組立工程では、ケース１の凹部１ａに回転体６や可撓性リング７を配置した状態において、ケース１の開口１ｂａを塞ぐようにカバー２が被せられる。組立工程では、ケース１の壁部１ｆと、カバー２の第１平板部２ａとをレーザ融着により融着させる。組立工程では、ケース１の導出部１ｃから導出した端子部３ｂと、電線９ａとを半田付けさせる。組立工程では、電線９ａが接続されケース１と、カバー２とがレーザ融着された構成を金型内に収容して、ハウジング５を射出成形により形成する。金型には、回転軸１０ｂｂに対する第２側面５ａａの角度βが、第１側面１ａａの角度αよりも大きくさせることができるように構成されている。組立工程では、カバー２とケース１とを結合させるように、カバー２とケース１とを覆うハウジング５を形成させることで、応力緩和部５ｃｃが形成される。
【００５８】
（実施形態２）
図５に示す本実施形態の移動体３０は、図１に示すスイッチ装置１０を備えた構成としている。実施形態１と同様の構成には、同一の符号を付して説明は省略する。
【００５９】
本実施形態の移動体３０は、図５に示すように、スイッチ装置１０と、スイッチ装置１０が搭載される本体３３と、を備えている。
【００６０】
本実施形態の移動体３０は、実施形態１のスイッチ装置１０を用いることで、より信頼性を高めることが可能となる。
【００６１】
以下では、スイッチ装置１０を備えた移動体３０について、簡単に説明する。
【００６２】
本実施形態の移動体３０は、たとえば、自動車のドア３２の開閉位置の検知のため、スイッチ装置１０を本体３３である車体に備えた構成とすることができる。スイッチ装置１０は、たとえば、ドア３２の内部に組み込まれ、ドア３２を半ドア状態にすると、自動的にドア３２を全閉にするためのクローザーシステム３１に組み込んで構成することができる。クローザーシステム３１は、スイッチ装置１０がドア３２の開閉位置に応じた回転体６の回転角度を検知することができるように構成されている。クローザーシステム３１は、スイッチ装置１０の回転角度に応じた信号をマイクロコンピュータで信号処理しドア３２が半ドア状態にあると判別した場合、マイクロコンピュータからの電気信号でモータを動かす。クローザーシステム３１は、マイクロコンピュータからの電気信号でモータを動かすことで、ドア３２を全閉状態にできるように構成されている。移動体３０は、自動車だけに限られず、電車などの車両の他、船舶や航空機などであってもよい。
【００６３】
ところで、寒冷地では、移動体３０に付着した氷を解氷させる解氷剤にメチルアルコールなどの有機溶剤が含まれている場合がある。スイッチ装置１０では、有機溶剤がハウジング５の変形を生じさせ、スイッチ装置１０の内部の空洞１０ａａに水分などが浸入して電気的な絶縁劣化を生ずるおそれがある。
【００６４】
本実施形態の移動体３０に備えられたスイッチ装置１０では、ハウジング５は、有機溶剤に対し、ハウジング５よりも溶解度の低いコーティング材で被覆されている。
【００６５】
本実施形態に用いられるスイッチ装置１０は、ハウジング５が有機溶剤に対し、ハウジング５よりも溶解度の低いコーティング材で被覆されていることで、さらなる応力緩和を行うことが可能となる。
【００６６】
コーティング材は、たとえば、ハウジング５の材料がＰＢＴ樹脂などの場合、フッ素樹脂などの樹脂材料、金属メッキなどを用いることができる。コーティング材は、ハウジング５を射出形成により形成させる場合において、金型の離型時に生ずる応力を緩和させることもできる。
【符号の説明】
【００６７】
１  ケース
１ａ  凹部
１ａａ  第１側面
１ｂａ  開口
１ｂｂ  結合面
２  カバー
３  固定端子
３ａ  固定接点
４  可動接触片
５  ハウジング
５ａａ  第２側面
５ｃｃ  応力緩和部
１０  スイッチ装置
１０ｂｂ  回転軸
３０  移動体
【図１】
0006624556.tif 000002
【図２】
0006624556.tif 000003
【図３】
0006624556.tif 000004
【図４】
0006624556.tif 000005
【図５】
0006624556.tif 000006